(57)【要約】【課題】部品の共通化を図る。【課題を解決するための手段】浴室換気乾燥暖房装置１Ａは、循環ユニット３００とこの上面部に取り付けられる換気ユニット２００と循環ユニット３００および換気ユニット２００を被覆する本体ケース４００とを備える。循環ユニット３００は、循環ユニットケース３２の内部に、循環モータ３１、循環ファン３０およびヒーター４のそれぞれが取り付けられることで一ユニット化されている。循環モータ３１は、一種類の循環モータ３１を採用することにより部品の共通化が図られている。換気ユニット２００は、換気ユニットケース２２の内部に、換気モータ２１および換気ファン２０のそれぞれが一体に取り付けられることで一ユニット化されている。これにより、換気ユニット２００は、必要最低限の形状で構成される。【選択図】図２
2014035157.tif 000002
【特許請求の範囲】
【請求項１】
室内の空気を吸込んで室内へ吹出す循環ユニットと、
室内の空気を吸込んで室外へ排気する換気ユニットとからなり、
前記換気ユニットは、前記循環ユニットの上面に着脱可能に取り付けられた
ことを特徴とする送風装置。
【請求項２】
前記換気ユニットのユニットケースの上面に開口を設け、
前記開口に換気モータを前記ユニットケース内部へ潜り込ませ、
前記ユニットケースの上面内周面と前記換気モータの上面外周面との隙間から室外へ排気する空気を吸込む
ことを特徴とする請求項１に記載の送風装置。
【請求項３】
前記循環ユニットと前記循環ユニットの上面に取り付けられた前記換気ユニットとの側面および上面を覆うように構成される本体ケースを備えた
ことを特徴とする請求項１又は請求項２に記載の送風装置。
【請求項４】
前記循環ユニットは、室内の吸込んだ空気を暖めるヒーターを収容し、前記ヒーターの裏面に対応した位置を難燃樹脂材料とした
ことを特徴とする請求項１から請求項３の何れか一項に記載の送風装置。
【発明の詳細な説明】
【技術分野】
【０００１】
本発明は、浴室や洗面脱衣所の換気等を行う送風装置に関する。
【背景技術】
【０００２】
従来から、浴室の空気を吸い込んで外へ排気したり、浴室の空気を吸い込むと共にこの吸い込んだ空気を暖めて浴室へ戻したりする換気装置が利用されている。例えば、特許文献１には、本体ケース内に換気ファン、循環ファンおよび電熱ヒーターが取り付けられた換気装置が開示されている。
【先行技術文献】
【特許文献】
【０００３】
【特許文献１】特開平１０−１４１７０２号公報
【発明の概要】
【発明が解決しようとする課題】
【０００４】
しかしながら、上記特許文献１等に開示される従来の換気装置では、換気装置の組み立て時に、換気ファンや循環ファン、これらのファンを駆動する各モータ、電熱ヒーターのそれぞれを本体ケース内に組み付ける作業が必要となり、換気装置の組み立てに手間がかかってしまうという問題がある。また、換気装置の点検作業においても、換気ファンやモータ等の各部品を本体ケースから取り外す作業が必要となるので、作業負担が増えてしまうという問題もある。
【０００５】
さらに、換気装置の機種によって、仕様されるモータの種類や配線の種類等が異なる場合がある。このような場合、モータの種類によってモータ固定用孔をケースに形成したり、配線の有無によって配線固定用ボスをケースに形成したりする必要があり、複数の型を用いて複数仕様の各製品に対応したケースを製造しなければならなかった。そのため、従来の換気装置では、複数仕様のケース等を製造しなければならないので、共通部品を用いて換気装置を製造することができないという問題があった。これに伴い、複数仕様によりユニットの種類も多くなるので、部品管理が複雑になるという問題もある。
【０００６】
そこで、本発明は、上記課題に鑑みてなされたものであり、その目的は、換気装置の組み立てや点検時の作業の簡易化を図ると共に、部品管理の効率化を図ることが可能な換気装置を提供することにある。
【課題を解決するための手段】
【０００７】
本発明は、上記課題を解決するために、室内の空気を吸込んで室内へ吹出す循環ユニットと、室内の空気を吸込んで室外へ排気する換気ユニットとからなり、換気ユニットは、循環ユニットの上面に着脱可能に取り付けられたものである。
【発明の効果】
【０００８】
本発明によれば、換気ユニットを循環ユニットの上面に着脱可能に取り付ける構成としたので、換気装置の組み立てや点検時の作業効率を向上させることができる。また、換気ユニットおよび循環ユニットをユニットで構成することで部品管理の効率化も図ることができる。
【図面の簡単な説明】
【０００９】
【図１】本発明の一実施形態に係る浴室換気乾燥暖房装置の全体構成例を示す図である。
【図２】浴室換気乾燥暖房装置の構成例を示す分解斜視図である。
【図３】浴室換気乾燥暖房装置の構成例を示す断面図である。
【図４】循環ユニットの構成例を示す図である。
【図５】換気ユニットの構成例を示す図である。
【図６】換気ユニットから吹出しガイドモジュールを取り外した状態を示す図である。
【図７】延焼防止機能を備えた吹出しガイドモジュールの構成例を示す図である。
【図８】イオン発生器用取付部を有する吹出しガイドモジュールが装着された循環ユニットの構成例を示す図である。
【図９】イオン発生器用取付部を有する吹出しガイドモジュールの構成例を示す図である。
【図１０】イオン発生器が装着された吹出しガイドモジュールの構成例を示す図である。
【発明を実施するための形態】
【００１０】
以下、図面を参照して、本発明の設備機器としての浴室換気乾燥暖房装置１Ａの実施の形態について説明する。
［浴室換気乾燥暖房装置の構成例］
図１は、本発明の一実施形態に係る浴室換気乾燥暖房装置１Ａの一例を示す全体構成図である。図２は、浴室換気乾燥暖房装置１Ａの一例を示す分解斜視図である。図３は、浴室換気乾燥暖房装置１Ａの一例を示す断面図である。図４（Ａ）は循環ユニット３００の構成の一例を示す平面図であり、図４（Ｂ）はその長手方向の側面図であり、図４（Ｃ）はその短手方向の側面図である。図５（Ａ）は換気ユニット２００の構成の一例を示す平面図であり、図５（Ｂ）はその底面図であり、図５（Ｃ）はその側面図である。
【００１１】
本実施の形態の浴室換気乾燥暖房装置１Ａは、図１および図２に示すように、装置本体１０が浴室１００の天井１００ａに形成された開口部１００ｂに設置される。浴室換気乾燥暖房装置１Ａは、空気が吸い込まれる吸込口グリル１１ａ及び空気が吹き出される吹出口グリル１１ｂを備えたフロントパネル１１が装置本体１０の下面に取り付けられ、フロントパネル１１が浴室１００の天井１００ａに露出する。
【００１２】
浴室１００の天井１００ａに設置された浴室換気乾燥暖房装置１Ａは、排気ダクト１２が接続される。排気ダクト１２は、図示しない建物の外壁１０１に設置された屋外グリル１２ａと接続される。
【００１３】
また、浴室換気乾燥暖房装置１Ａは、副吸込ダクト１３が接続される。副吸込ダクト１３は、他室である洗面脱衣所１０２の天井に１０２ａに設置された副吸込口グリル１３ａと接続される。なお、副吸込ダクト１３は複数設けても良い。例えば、２つの副吸込ダクト１３を用いた場合、一方の副吸込ダクト１３を洗面脱衣所１０２に設置し、他方の副吸込ダクト１３をトイレに設置する。このとき、洗面脱衣所１０２とトイレの両方から空気が吸い込まれる構成としても良いし、どちらか一方から空気が吸い込まれる構成としても良い。
【００１４】
浴室換気乾燥暖房装置１Ａは、循環ユニット３００と換気ユニット２００と本体ケース４００とを備えている。循環ユニット３００は、浴室１００の空気を装置本体１０の吸込口グリル１１ａから吸い込んで、この吸い込んだ空気を装置本体１０の吹出口グリル１１ｂから浴室１００に吹き出す。循環ユニット３００は、図２〜図４に示すように、循環ユニットケース３２と、循環モータ３１と、循環ファン３０と、ヒーター４とを有している。
【００１５】
循環ユニットケース３２は、循環ファン３０や循環モータ３１等を収容可能な大きさを有した下面が開口された箱体であって、例えば一般材のＡＢＳ樹脂から構成されている。循環ファン３０の下方に位置した循環ユニットケース３２には、浴室１００内の空気を吸い込むための循環ファン吸込口３２ｂが形成されている。また、ヒーター４の下方に位置した循環ユニットケース３２には、循環ファン３０により吹き出された空気を浴室１００に戻すための循環ファン吹出口３２ｃが形成されている。
【００１６】
循環ユニットケース３２の下端（浴室１００側の端部）には、外方向に突出した枠状の本体フランジ部１４が設けられている。循環ユニットケース３２の略円形状をなす上面部３２ｈには、その周縁部に換気ユニット２００を取り付けるための取付部３４が所定の間隔を隔てて設けられている。また、循環ユニットケース３２の上面部３２ｈには、その上面に取り付けられる換気ユニット２００を構成する換気ファン２０の回転軸を回転可能に支持するための軸支部３８が設けられている。
【００１７】
循環モータ３１は、例えばステッピングモータから構成され、循環ユニットケース３２内の天井部に取り付けられている。循環モータ３１は、図示しない制御基板からの指示に基づいて駆動することにより循環ファン３０を回転駆動させる。
【００１８】
循環ファン３０は、例えば多翼の羽根を有するシロッコファン（遠心ファン）から構成されている。循環ファン３０は、循環モータ３１の回転軸に取り付けられ、循環モータ３１の駆動により回転し、浴室１００内の空気を循環ファン吸込口３２ｂから吸い込んで、吸い込んだ空気を循環ファン吹出口３２ｃから吹き出す循環ファン吹出風路３２ａを形成する。この循環ファン吹出風路３２ａは、循環ユニットケース３２により区画されて形成される。
【００１９】
ヒーター４は、循環ファン吹出風路３２ａの下流側に位置する循環ファン吹出口３２ｃに取り付けられ、循環ファン吹出口３２ｃを通過する空気を暖めて浴室１００内に吹き出す。ヒーター４にはＰＴＣ(Positive Temperature Coefficient)ヒーターを用いているが、この種類に限定されるものではない。
【００２０】
本例の循環ユニット３００では、従来では複数種類の循環モータが使用されていたところを、一種類の循環モータ３１を採用することにより部品の共通化を図っている。同様に、循環ファン３０やヒーター４についても単一の種類が採用することにより部品の共通化を図っている。なお、本例では、さらなる循環ユニットケース３２の共通化を図るために、イオン発生器用の取付部を別モジュールとして構成しているが、詳細については後述する。また、本例では、循環ユニットケース３２の内部に、循環モータ３１、循環ファン３０およびヒーター４のそれぞれが取り付けられることで、循環ユニット３００が一ユニット化されている。
【００２１】
換気ユニット２００は、浴室１００の空気を装置本体１０の吸込口グリル１１ａから吸い込んで、吸い込んだ空気を排気ダクト１２を介して屋外に排気すると共に、他室である洗面脱衣所１０２の空気を副吸込口グリル１３ａから副吸込ダクト１３を介して吸い込んで、吸い込んだ空気を排気ダクト１２を介して屋外に排気する。
【００２２】
換気ユニット２００は、図２、図３および図５に示すように、換気ユニットケース２２と、換気モータ２１と、換気ファン２０とを有している。換気ユニットケース２２は、例えば一般材のＡＢＳ樹脂からなり、換気ファン２０や換気モータ２１を収容可能な大きさを有した略筒状をなす箱体から構成されている。この換気ユニットケース２２の上面部には、後述する換気モータ２１を収容するための開口部２８が設けられている。
【００２３】
換気ユニットケース２２の外周面下端には、換気ユニット２００を循環ユニット３００に取り付けるためのネジ止め部２７が循環ユニット３００の取付部３４に対応した位置に設けられている。これにより、換気ユニットケース２２のネジ止め部２７を循環ユニットケース３２の取付部３４にネジにより締め付けてネジ止めすることで、換気ユニット２００を循環ユニット３００の上面部３２ｈに着脱可能に取り付けることができる。
【００２４】
換気ユニットケース２２の排気ダクトジョイント４０側には、浴室１００や洗面脱衣所１０２から吸い込んだ空気を排気するための排気吹出口２２ｅが設けられている。本体ケース４００の排気ダクトジョイント４０側の排気吹出口２２ｅとは異なる角部には、循環ユニット３００下面に設けられた換気吸込口２２ｃに連通した連通口２６が設けられている。
【００２５】
換気モータ２１は、例えばステッピングモータから構成され、換気ユニットケース２２の開口部２８内部に潜り込んだ状態で、例えば換気ユニットケース２２の上面部に設けられた取付部２５により換気ユニットケース２２に取り付けられている。換気モータ２１は、図示しない制御基板からの指示に基づいて駆動することにより換気ファン２０を回転駆動させる。
【００２６】
換気ファン２０は、例えば多翼の羽根を有するシロッコファン（遠心ファン）から構成されている。換気ファン２０は、換気ユニットケース２２内に配置されると共に換気モータ２１の回転軸に取り付けられ、換気モータ２１の駆動により回転する。
【００２７】
図３に示すように、換気ファン２０の開口部２８の上部内周面（換気ユニットケース２２の上部内周面）と開口部２８に配置された換気モータ２１の上部外周面との隙間は、浴室１００や洗面脱衣所１０２から取り込んだ空気を吸い込むための換気ファン吸込口（上吸込口）２２ｂとなっている。このように、換気ファン２０の上方から空気を吸い込む構造とすることにより、換気ファン吸込口２２ｂを浴室１００から離すことができるので、吸込み時の騒音の問題を発生し難くすることができ、装置の静音化を図ることができる。換気ファン吸込口２２ｂには、換気ユニットケース２２と循環ユニットケース３２の上面部３２ｈとにより形成される換気ファン吹出風路２２ａが連通され、換気ファン吸込口２２ｂから取り込まれた空気がこの換気ファン吹出風路２２ａにより換気ファン２０の遠心方向の排気吹出口２２ｅに吹き出される。
【００２８】
本例では、上述したように、換気ユニットケース２２の内部に、換気モータ２１および換気ファン２０のそれぞれが一体に取り付けられることで、換気ユニット２００が一ユニット化されている。これにより、換気ユニット２００は、例えば本体ケース４００等とは独立した構成となり、必要最低限の形状により構成できるようになっている。
【００２９】
また、浴室換気乾燥暖房装置１Ａは、換気ユニットケース２２及び循環ユニットケース３２の側方に浴室吸込風路２３が形成される。さらに、浴室換気乾燥暖房装置１Ａは、換気ユニットケース２２及び循環ユニットケース３２の上方に他室吸込風路２４が形成され、装置本体１０の一の側面に、他室吸込風路２４を介して換気ファン吸込口２２ｂと連通した単一の副吸込口２２ｄが形成される。
【００３０】
本体ケース４００は、例えば板金等の金属材料からなり、循環ユニット３００とこの循環ユニット３００の上面部３２ｈに取り付けられる換気ユニット２００の側面および上面を覆うように構成されている。
【００３１】
本体ケース４００と、換気ユニットケース２２及び循環ユニットケース３２の側面との間、本体ケース４００と、換気ユニットケース２２の上面との間に形成される連通した空間で、浴室吸込風路２３が形成される。また、本体ケース４００と、換気ユニットケース２２及び循環ユニットケース３２の上面部３２ｈとの間に形成される連通した空間で、他室吸込風路２４が形成される。
【００３２】
浴室換気乾燥暖房装置１Ａは、換気吸込口２２ｃと循環ファン吸込口３２ｂが、フロントパネル１１の吸込口グリル１１ａと繋がり、循環ファン吹出口３２ｃが、フロントパネル１１の吹出口グリル１１ｂと繋がる。
【００３３】
装置本体１０の排気吹出口２２ｅには、排気ダクトジョイント４０が取り付けられている。排気ダクトジョイント４０には、排気ダクト１２が接続される。装置本体１０の副吸込口２２ｄには、副吸込ダクトジョイント５０が取り付けられている。副吸込ダクトジョイント５０には、副吸込ダクト１３０が接続される。
【００３４】
これにより、浴室換気乾燥暖房装置１Ａは、浴室１００と、洗面脱衣所１０２が、装置本体１０内の浴室吸込風路２３及び他室吸込風路２４と、副吸込ダクト１３を介して繋がる風路構成となっている。
【００３５】
以上説明したように、本実施の形態によれば、換気ユニット２００の換気ユニットケース２２内に換気ファン２０および換気モータ２１に取り付けることで一ユニット化し、必要最低限の換気ユニットケース２２の形状で換気ユニット２００を形成する構造とすることで、部品点数の削減を図ることができる。これにより、コストダウンを図ることができる。
【００３６】
同様にして、本実施の形態では循環ユニット３００についてもユニット化したので、浴室換気乾燥暖房装置１Ａの組み立てや点検時の作業の簡易化を図ることができ、その結果、作業効率の向上を図ることができる。また、上述したように、換気ユニット２００および循環ユニット３００のユニット化を図ることで、同時に部品点数の削減も図ることができるので、部品管理の効率化も図ることができる。
【００３７】
また、循環ユニット３００を共通部品により構成とし、例えば換気ファン２０の容量や大きさが異なる複数の機能に切り替え可能な換気ファン２０に対して共通仕様可能な構成とすることで、複数使用の金型を用いて循環ユニット３００等を形成する必要がなくなるので、コスト削減を図ることができる。
【００３８】
ここで、従来の換気装置（特許４１９６６６１号）には、換気ユニットの換気ユニットケースの下面開口部内に循環ユニットを着脱可能に装着するものがある。換気ユニットケースは、換気ファン等を収容する換気風路ケースよりも、循環ユニットケースを覆うことが可能な長さ分大きく形成されている。換気ユニットケースおよび循環ユニットケースのそれぞれは、樹脂材料からなる。そのため、従来の換気装置では、循環ユニットケースの側面を覆う換気ユニットケースが重複した構造となってしまうので、循環ユニットケースを構成する樹脂が無駄になってしまうという問題があった。
【００３９】
これに対し、本実施の形態では、換気ユニット２００を換気ユニットケース２２に換気モータ２１および換気ファン２０のそれぞれを取り付けてユニット化し、循環ユニット３００の上面部３２ｈに着脱可能に取り付ける構造とした。そのため、本実施の形態によれば、循環ユニット３００を換気ユニットケース２２内に装着させる構造とはなっていないので、ケースの重複部分を削減することができ、コストをより下げることができる。
【００４０】
また、換気ユニットケース２２の重複部分を削減できるので、その削減したケース厚み分、循環ユニットケース３２と本体ケース４００との間の空間を広げることができる。これにより、循環ユニットケース３２下面の換気吸込口２２ｃの開口径を大きくすることができるので、空気の吸い込み時の通気抵抗を下げることができ、より円滑に空気を吸い込むことができる。また、循環ユニットケース３２と本体ケース４００との間の空間が広がった分、循環ユニットケース３２の外径を大きくすることができるので、これに伴い、外径が大きいタイプの循環ファン３０を採用することができ、循環ファン３０の容量を大きくすることもできる。
【００４１】
さらに、従来の換気装置では、換気ユニットを輸送する場合、換気ユニットケースがスペースをとるので、効率的に輸送できず、その分コストもかかるという問題があったが、本実施の形態によれば、必要最低限の形状で換気ユニット２００を形成しているので、輸送が容易となるという効果もある。
【００４２】
［循環ユニットの別モジュール構造］
次に、循環ユニット３００の一部を別モジュール構造とした点について以下に説明する。まず、従来の問題点について説明する。従来の浴室換気乾燥暖房装置では、この装置に搭載されているヒーターの内部に異物が侵入すると、火花を吹出しながらスパークする可能性があり、このスパークによりヒーターの周囲の部品が延焼してしまう恐れがある。そこで、従来では、ヒーターの周囲を金属部材により囲んだり、ヒーターの周囲を一般材の樹脂に難燃樹脂を被せて囲んだり、モジュールケースの全体を難燃樹脂により構成する対策が施されている。
【００４３】
しかしながら、ヒーター４を金属で囲む構成では、本体重量が増し、施工が大変になると共に、天井の強度が必要になるという問題がある。一般材の樹脂に難燃樹脂を被せる構成では、重複する一般材の部分が無駄になるという問題がある。モジュールケース全体を難燃樹脂により構成する方法では、難燃樹脂は一般材の樹脂に比べて高価であるため、コストが上がってしまうという問題がある。
【００４４】
また、従来の循環ユニットの作製において、イオン発生器を装置に搭載する機種と搭載しない機種とがある場合には、イオン発生器の取り付けの有無に応じて、イオン発生器用取付部がある循環ユニットケースとイオン発生器用取付部が無い循環ユニットケースとの２部品を作成する必要があった。そのため、部品の共通化を図ることが困難であるという問題がある。
【００４５】
そこで、本実施の形態では、上述した循環モータ３１の共通化を図ることに加えて、循環ユニットケース３２のヒーター４の裏面に対応した位置を着脱可能な別モジュールとして構成することにより、上記２つの課題を同時に解決することを目的とする。すなわち、循環ユニット３００に対する別モジュールを難燃樹脂材料で構成することで、ヒーター４のスパークによる周囲の部品延焼の防止を図る。さらに、別モジュールに対して、イオン発生器を取り付ける機種の場合にはイオン発生器用取付部を設けた別モジュールを作製し、イオン発生器を取り付けない機種の場合にはイオン発生器用取付部のない別モジュールを作製することで、循環ユニット３００のベースとなる部分についての部品の共通化についても同時に図る。
【００４６】
以下では、循環ユニット３００のうち部品の共通化を図ったモジュール部分を循環ベースモジュール３３と呼び、この循環ベースモジュール３３に着脱可能な別モジュールを吹出しガイドモジュール６０と呼ぶ。循環ベースモジュール３３には、循環ファン３０、循環モータ３１、ヒーター４、循環ユニットケース３２等が含まれている。
【００４７】
［循環ベースモジュールおよび吹出しガイドモジュールの構成例］
続けて、循環ベースモジュール３３および吹出しガイドモジュール６０について説明する。図６は、吹出しガイドモジュール６０が循環ベースモジュール３３から取り外されたときの循環ユニット３００の構成の一例を示している。
【００４８】
図６に示すように、循環ユニット３００は、循環ベースモジュール３３と吹出しガイドモジュール６０とを備えている。循環ベースモジュール３３は、上述したように一般材のＡＢＳ樹脂からなる。循環ベースモジュール３３を構成する循環ユニットケース３２のヒーター４の裏面側に対応した位置（換気ユニット２００が設けられる上方側の位置）には、吹出しガイドモジュール６０が取り付けられる開口部３２ｅが形成されている。開口部３２ｅは、平面的に見てヒーター４の略全体が露出するような形状に形成される。これは、ヒーター４の裏面側に難燃樹脂としての吹出しガイドモジュール６０を配置するためである。
【００４９】
開口部３２ｅの循環モータ３１側の縁部には、吹出しガイドモジュール６０を取り付けるための取付部３２ｆが設けられている。開口部３２ｅの循環モータ３１とは反対側の縁部には、吹出しガイドモジュール６０の爪部６２を引っ掛けて止めるための係止部３２ｇが設けられている。
【００５０】
吹出しガイドモジュール６０は、循環ベースモジュール３３に形成された開口部３２ｅに着脱可能に取り付けられ、異なる機能を有する複数の吹出しガイドモジュール６０に組み替え可能な構成となっている。本例では、ヒーター４の延焼防止機能を備えた吹出しガイドモジュール６０Ａと、この延焼防止機能に加えてイオン発生器を取り付けるためのイオン発生器用取付部が設けられた吹出しガイドモジュール６０Ｂとが用意されている。もちろん、この２種類の吹出しガイドモジュール６０Ａ，６０Ｂに限定されることはない。
【００５１】
なお、循環ベースモジュール３３では、図３に示すように、ヒーター４の側面側の循環ファン吹出口３２ｃを構成するケース部材３２ｄにも難燃樹脂材料が用いられ、ヒーター４のスパークによる延焼防止構造が採用されている。
【００５２】
[吹出しガイドモジュール６０Ａの構成例]
以下では、まず、ヒーター４の延焼防止機能を備えた吹出しガイドモジュール６０Ａについて説明する。図７（Ａ）は吹出しガイドモジュール６０Ａの上面側の構成の一例を示し、図７（Ｂ）は吹出しガイドモジュール６０Ａの下面側の構成の一例を示している。
【００５３】
吹出しガイドモジュール６０Ａは、図７（Ａ）および図７（Ｂ）に示すように、モジュール本体６１ａと、爪部６２ａと、ネジ止め部６３ａとを有している。モジュール本体６１ａは、ヒーター４の延焼を防止するために難燃性を有する樹脂材料、例えばＡＢＳ樹脂［アクリロニトリル（Acrylonitrile）、ブタジエン（Butadiene）、スチレン（Styrene）共重合合成樹脂］等からなり、開口部３２ｅを被覆可能な大きさを有している。また、モジュール本体６１ａは、循環ファン吹出風路３２ａ（図３参照）の一部として機能するため、側面形状が円弧状に湾曲して形成され、浴室１００内から吸い込んだ空気を循環ファン吹出口３２ｃに円滑に案内できるように構成されている。
【００５４】
ネジ止め部６３ａは、モジュール本体６１ａの循環モータ３１側の端部であって、循環ベースモジュール３３の取付部３２ｆに対応した位置に設けられている。爪部６２ａは、モジュール本体６１ａの循環モータ３１とは反対側の端部であって、循環ベースモジュール３３の係止部３２ｇに対応した位置に設けられている。
【００５５】
このような構成において、吹出しガイドモジュール６０Ａを循環ベースモジュール３３に取り付ける場合には、吹出しガイドモジュール６０Ａの爪部６２ａを循環ベースモジュール３３の係止部３２ｇに引っ掛けて（係合させて）一端側をロックした後、モジュール本体６１ａの他端側のネジ止め部６３ａを循環ベースモジュール３３の取付部３２ｆにネジにより締め付けてネジ止めする。これにより、吹出しガイドモジュール６０Ａを循環ベースモジュール３３に着脱可能に取り付けることができる。
【００５６】
[吹出しガイドモジュール６０Ｂの構成例]
次に、ヒーター４の延焼防止機能に加えてイオン発生器用取付部６５を設けた吹出しガイドモジュール６０Ｂについて説明する。なお、吹出しガイドモジュール６０Ｂは、基本的な構成や機能は吹出しガイドモジュール６０Ａと共通しているので、異なる部分のみを説明する。図８は、循環ベースモジュール３３に吹出しガイドモジュール６０Ｂが装着された状態を示している。図９（Ａ）はイオン発生器７０が装着されていないときの吹出しガイドモジュール６０Ｂの上面側の構成の一例を示し、図９（Ｂ）はその下面側の構成の一例を示している。
【００５７】
図９（Ａ）および図９（Ｂ）に示すように、吹出しガイドモジュール６０Ｂは、モジュール本体６１ｂと、ネジ止め部６３ｂと、爪部６２ｂと、イオン発生器を取り付けるためのイオン発生器用取付部６５を有している。イオン発生器用取付部６５は、モジュール本体６１ｂの上面部に設けられている。イオン発生器用取付部６５には、イオン発生器７０を構成するイオン放出部７１（図１０参照）を循環ユニットケース３２内に露出させるための放出孔６５ｂが設けられている。
【００５８】
ネジ止め部６３ｂは、モジュール本体６１ｂの循環モータ３１側の端部であって、循環ベースモジュール３３の取付部３２ｆに対応した位置に設けられている。爪部６２ｂは、モジュール本体６１ｂの循環モータ３１とは反対側の端部であって、循環ベースモジュール３３の係止部３２ｇに対応した位置に設けられている。
【００５９】
図１０（Ａ）はイオン発生器７０が装着されたときの吹出しガイドモジュール６０Ｂの上面側の構成の一例を示し、図１０（Ｂ）はその下面側の構成の一例を示している。図１０（Ａ）および図１０（Ｂ）に示すように、イオン発生器７０は、吹出しガイドモジュール６０Ｂのイオン発生器用取付部６５にネジによりネジ止めされることで装着される。このとき、イオン発生器７０のイオン放出部７１がイオン発生器用取付部６５の放出孔６５ｂに挿入されるように取り付けられる。
【００６０】
吹出しガイドモジュール６０Ｂを循環ベースモジュール３３に取り付ける場合には、吹出しガイドモジュール６０Ｂの爪部６２ｂを循環ベースモジュール３３の係止部３２ｇに引っ掛けて一端側を循環ベースモジュール３３にロックした後、モジュール本体６１ｂの他端側のネジ止め部６３ｂを循環ベースモジュール３３の取付部３２ｆにネジにより締め付けてネジ止めする。これにより、吹出しガイドモジュール６０Ｂを循環ベースモジュール３３に着脱可能に取り付けることができる。
【００６１】
以上説明したように、本実施の形態によれば、循環ベースモジュール３３は共通部品により構成されているので、吹出しガイドモジュール６０Ａ，６０Ｂを組み替えることにより、少なくとも２種類の機能を備えた循環ユニット３００（複数仕様の循環ユニット３００）に変更することが可能となる。これにより、循環ベースモジュール３３については、部品の共通化を図ることができるので、部品点数の削減効果からコストダウンを図ることができる。また、これに伴い、部品の管理負担の削減も図ることができる。
【００６２】
また、従来では、循環ユニット３００を組み付ける際のベース部品をイオン発生器７０の有り無しで分けて製造しているため、循環ユニット３００の組み付け完了後に、例えばイオン発生器７０無しの仕様の循環ユニット３００をイオン発生器７０有りの仕様の循環ユニット３００に変更することが困難であった。これに対し、本実施の形態によれば、例えばイオン発生器７０の取り付けの有無について急な生産計画変更があった場合でも、吹出しガイドモジュール６０Ａ，６０Ｂの組付けを最後の工程とすることで、吹出しガイドモジュール６０Ａ，６０Ｂを要求に合わせて組み替えるだけで良いので、柔軟な対応が可能となる。
【００６３】
また、吹出しガイドモジュール６０Ａ，６０Ｂを難燃樹脂により構成し、これをヒーター４の裏面側に取り付けるので、循環ユニットケース３２の全体を難燃樹脂材料や金属材料を用いる場合と比べて、安価に延焼防止構造を実現することができる。
【００６４】
なお、本発明の技術範囲は、上述した実施形態に限定されるものではなく、本発明の趣旨を逸脱しない範囲において、上述した実施形態に種々の変更を加えたものを含む。上記実施の形態では、吹出しガイドモジュール６０として、難燃樹脂からなる吹出しガイドモジュール６０Ａと、難燃樹脂に加えてイオン発生器用取付部６５を設けた吹出しガイドモジュール６０Ｂと設けたが、これに限定されることはない。例えば、一般材のＡＢＳ樹脂を用いてイオン発生器用取付部６５を設けた吹出しガイドモジュールを設けることもできる。さらに、難燃樹脂やイオン発生器用取付部６５以外の機能を持たせた吹出しガイドモジュールを構成することもできる。
【符号の説明】
【００６５】
４  ヒーター
２１  換気モータ
２２  換気ユニットケース（ユニットケース）
６０，６０Ａ，６０Ｂ  吹出しガイドモジュール
２００  換気ユニット
３００  循環ユニット
４００  本体ケース
【図１】
2014035157.tif 000003
【図２】
2014035157.tif 000004
【図３】
2014035157.tif 000005
【図４】
2014035157.tif 000006
【図５】
2014035157.tif 000007
【図６】
2014035157.tif 000008
【図７】
2014035157.tif 000009
【図８】
2014035157.tif 000010
【図９】
2014035157.tif 000011
【図１０】
2014035157.tif 000012